【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
基板と、基板上に積層され構造色を形成する構造色形成層と、該構造色形成層の外表面を封止する透明な保護膜と、を備えた可変構造色形成部材が表面に組み込まれた筐体を有し、
前記可変構造色形成部材の構造色若しくは反射特性を電気的に可変制御する構造色形成層駆動手段と、
入力手段と、
前記入力手段により入力された情報に基づいて、前記可変構造色形成部材の構造色若しくは反射特性の設定情報である表示色設定情報を決定する表示色設定手段と、
前記表示色設定手段により決定された表示色設定情報に基づいて前記構造色形成層駆動手段に対応する駆動信号を出力する制御手段と、を備えることを特徴とする電気機器。
【請求項２】
前記構造色形成層は、高屈折率層と低屈折率層とが交互に積層されることによって形成された多層膜構造であり、該高屈折率層及び低屈折率層は、可視光の波長の１／４波長程度の厚み、若しくは、可視光の波長の１／２波長程度の周期間隔に形成され、前記高屈折率層間の光学的距離を電気的に制御して変化させることにより前記可変構造色形成部材の構造色を可変制御することを特徴とする請求項１に記載の電気機器。
【請求項３】
前記構造色形成層は、前記高屈折率層と低屈折率層とが多段に積層された棚構造体が前記基板上に規則的に配列されて形成され、
該棚構造体は、前記高屈折率層の行間に高屈折率層の面積よりも小さな面積とされた支持部材が配置されて前記棚構造体の柱を形成し、前記高屈折率層の行間であって該支持部材の周縁に前記低屈折率層が形成されていることを特徴とする請求項２に記載の電気機器。
【請求項４】
前記支持部材は、アクチュエータとされ、該アクチュエータと前記高屈折率層との間には透明電極が配置され、前記高屈折率層及び前記透明電極は、異なる棚構造体の同列層と連結部で連結されており、前記構造色形成層の最表面は、各棚構造体間の間隙と前記連結部とにより形成された方形状の開口を有し、該開口が回折格子とされ、前記アクチュエータは、一つの前記棚構造体の同一層内で複数に分断されていると共に他の前記棚構造体の同一層に位置する支持部材とも分断されて配置され、前記アクチュエータを電気的に制御することにより、前記低屈折率層の厚みを変化させ、構造色を連続的に可変制御することを特徴とする請求項３に記載の電気機器。
【請求項５】
前記高屈折率層は、高屈折率の誘電体によって形成され、前記低屈折率層は、空気層とされていることを特徴とする請求項２乃至請求項４のいずれかに記載の電気機器。
【請求項６】
前記基板及び前記保護膜と前記構造色形成層との間には夫々透明電極が配置され、各々の透明電極と前記構造色形成層の間には配向膜が配置され、前記各棚構造体間及び前記高屈折率層の行間には液晶が注入され、該液晶は前記構造色形成層の周縁に配置された封止材によって封止され、
前記液晶を電気的に制御することにより前記液晶の屈折率を変化させ、前記高屈折率層間の光学的距離を変化させることにより構造色を可変制御することを特徴とする請求項３に記載の電気機器。
【請求項７】
前記高屈折率層は、高屈折率の誘電体によって形成され、前記支持部材は、低屈折率の誘電体によって形成されていることを特徴とする請求項６に記載の電気機器。
【請求項８】
前記構造色形成層は、半透過ミラーとされる対の高屈折率層と、該対の高屈折率層間に形成される低屈折率層とを備えた多重反射構造体であり、該低屈折率層は、可視光の波長の１／２波長の整数倍の厚みに形成され、前記対の高屈折率層間には、該高屈折率層の面積よりも小さな面積とされた支持部材が配置されていることを特徴とする請求項１に記載の電気機器。
【請求項９】
前記支持部材は、アクチュエータとされ、該アクチュエータと前記対の高屈折率層との間には透明電極層が配置され、前記アクチュエータを電気的に制御することにより、前記低屈折率層の厚みを変化させ、構造色を連続的に可変制御することを特徴とする請求項８に記載の電気機器。
【請求項１０】
前記アクチュエータは、圧電素子によって形成された圧電アクチュエータとされ、該圧電アクチュエータの伸縮を電気的に制御することにより前記低屈折率層の厚みを連続的に制御することを特徴とする請求項４又は請求項５又は請求項９に記載の電気機器。
【請求項１１】
前記基板及び前記保護膜と前記構造色形成層との間に透明電極が配置され、前記対の高屈折率層と前記低屈折率層との間には配向膜が配置され、前記対の高屈折率層間には液晶が注入され、該液晶は前記低屈折率層の周縁に配置された封止材によって封止され、
前記液晶を電気的に制御することにより前記液晶の屈折率を変化させ、前記対の高屈折率層間の光学的距離を変化させることにより構造色を可変制御することを特徴とする請求項８に記載の電気機器。
【請求項１２】
前記高屈折率層は、高屈折率の誘電体による多膜層又は金属膜によって形成される半透過ミラーとされていることを特徴とする請求項８乃至請求項１１のいずれかに記載の電気機器。
【請求項１３】
前記表示色設定手段は、前記可変構造色形成部材の構造色若しくは反射特性の設定情報である表示色設定情報を複数の記憶する記憶手段を有し、前記入力手段からの表示指示によって前記記憶手段に記憶されている複数の表示色設定情報を表示手段に表示し、前記入力手段からの選択指示によって前記表示手段に表示されている表示色設定情報の中から所望の表示色設定情報を選択し、
前記制御手段は、前記表示色設定手段によって選択された表示色設定情報に基づいて前記構造色形成層駆動手段に対応する駆動信号を出力することを特徴とする請求項１乃至請求項１２のいずれかに記載の電気機器。
【請求項１４】
前記表示色設定手段は、前記表示手段に表示色のカスタム設定用の情報を出力し、
前記表示手段は、該カスタム設定用の画面を表示し、
該カスタム設定用の画面において入力手段によりカスタムの表示色設定情報が設定されると、前記表示色設定手段は、前記入力手段により決定されたカスタムの表示色設定情報に対応する色、又は、ＲＧＢ値、又は、ＨＳＶ値、又は、色度座標のいずれかを前記記憶手段に追加して記憶、或いは、予め記憶されていた情報に上書きして登録することを特徴とする請求項１３に記載の電気機器。
【請求項１５】
前記制御手段は、前記入力手段により入力された情報に基づいて、機器の有する機能を実行する機能手段の動作を制御し、
前記表示色設定手段は、前記機能手段が実行した機能の状態に基づいて表示色設定情報を決定し、
前記制御手段は、前記表示色設定手段が決定した表示色設定情報に基づいて前記構造色形成層駆動手段に対応する駆動信号を出力することにより、機器のいずれかの機能が実行されると前記可変構造色形成部材の構造色若しくは反射特性が変化することを特徴とする請求項１乃至請求項１４のいずれかに記載の電気機器。
【請求項１６】
前記記憶手段には主電源ＯＦＦ状態時における前記筐体の基本となる表示色設定情報が記憶され、前記制御手段は、主電源がＯＦＦ状態の時には、この記憶手段に記憶された基本となる表示色設定情報に基づいて待機電力により対応する駆動信号を前記構造色形成層駆動手段に出力することを特徴とする請求項１乃至請求項１５のいずれかに記載の電気機器。
【請求項１７】
前記制御手段は、主電源ＯＦＦ状態時には、前記構造色形成層駆動手段に供給する一切の電力を停止し、前記可変構造色形成部材のデフォルトの構造色に復帰させることを特徴とする請求項１乃至請求項１６のいずれかに記載の電気機器。
【請求項１８】
前記構造色形成層の最下端に或いは前記基板表面にカラー塗膜を備え、該カラー塗膜の色を基本に前記可変構造色形成部材の構造色及び光学特性を変化させることを特徴とする請求項１乃至請求項１７のいずれかに記載の電気機器。
【請求項１９】
前記構造色形成層の最下端に或いは前記基板表面に発光素子が配置され、該発光素子の近傍に発光素子からの射出光を拡散反射させる拡散反射層が形成され、該拡散反射層からの拡散反射光と前記可変構造色形成部材による構造色とが混合されて前記筐体の外装色が形成されることを特徴とする請求項１乃至請求項１７のいずれかに記載の電気機器。
【請求項２０】
基板と、基板上に積層され構造色を形成する構造色形成層と、該構造色形成層の外表面を封止する透明な保護膜と、を備えた可変構造色形成部材が表面、入射した入射光の光軸方向を撮影レンズ群の光軸方向に変換する変換ミラー、若しくは、フラッシュの光を集光するリフレクタの反射面に組み込まれた筐体を有し、
前記可変構造色形成部材の構造色若しくは反射特性を電気的に可変制御する構造色形成層駆動手段と、
前記構造色形成層駆動手段を駆動する駆動信号を出力することで当該電気機器の外装色、入射光、若しくは、フラッシュの発光色を制御する制御手段と、を備えることを特徴とする電気機器。
【請求項２１】
基板表面の所定の選択領域に高屈折率層を形成し、該高屈折率層上の高屈折率層の面積よりも小さい選択領域に支持部材を形成し、前記高屈折率層及び前記支持部材を交互に順次積層して構造色形成層を形成し、
前記構造色形成層の形成において、非選択領域には順次有機物を埋め込み平坦化して、平坦面上に随時前記高屈折率層及び支持部材を形成していき、
その後、前記構造色形成層における非選択領域の有機物を、有機物を融解する酸又は加熱処理により除去し、前記高屈折率層の上下層の一部に低屈折率層となる空気層が形成される間隙を形成し、
柱となる前記支持部材と高屈折率層とが多段に積層されて、基板上に複数の棚構造体が配列された構造色形成層を形成することを特徴とする可変構造色形成部材の製造方法。
【手続補正２】
【補正対象書類名】明細書
【補正対象項目名】００３７
【補正方法】変更
【補正の内容】
【００３７】
請求項１９に記載の発明は、請求項１乃至請求項１７のいずれかに記載の電気機器において、前記構造色形成層の最下端に或いは前記基板表面に発光素子が配置され、該発光素子の近傍に発光素子からの射出光を拡散反射させる拡散反射層が形成され、該拡散反射層からの拡散反射光と前記可変構造色形成部材による構造色とが混合されて前記筐体の外装色が形成されることを特徴とする。
請求項２０に記載の発明は、電気機器において、基板と、基板上に積層され構造色を形成する構造色形成層と、該構造色形成層の外表面を封止する透明な保護膜と、を備えた可変構造色形成部材が表面、入射した入射光の光軸方向を撮影レンズ群の光軸方向に変換する変換ミラー、若しくは、フラッシュの光を集光するリフレクタの反射面に組み込まれた筐体を有し、前記可変構造色形成部材の構造色若しくは反射特性を電気的に可変制御する構造色形成層駆動手段と、前記構造色形成層駆動手段を駆動する駆動信号を出力することで当該電気機器の外装色、入射光、若しくは、フラッシュの発光色を制御する制御手段と、を備えることを特徴とする。
【手続補正３】
【補正対象書類名】明細書
【補正対象項目名】００３８
【補正方法】変更
【補正の内容】
【００３８】
そして、請求項２１に記載の発明は、可変構造色形成部材の製造方法であって、基板表面の所定の選択領域に高屈折率層を形成し、該高屈折率層上の高屈折率層の面積よりも小さい選択領域に支持部材を形成し、前記高屈折率層及び前記支持部材を交互に順次積層して構造色形成層を形成し、前記構造色形成層の形成において、非選択領域には順次有機物を埋め込み平坦化して、平坦面上に随時前記高屈折率層及び支持部材を形成していき、その後、前記構造色形成層における非選択領域の有機物を、有機物を融解する酸又は加熱処理により除去し、前記高屈折率層の上下層の一部に低屈折率層となる空気層が形成される間隙を形成し、柱となる前記支持部材と高屈折率層とが多段に積層されて、基板上に複数の棚構造体が配列された構造色形成層を形成することを特徴とする。